(57)【要約】【課題】本発明は、メイン流路内に水蒸気が存在する場合であってもバイパス弁によりバイパス吸引口の開度を正確に調節し、メイン流路を通過する温調対象流体の風量を所望の風量でかつ一定の風量に正確に維持することが可能な技術を提供する。【解決手段】メイン流路４に第１温調手段７と第２温調手段１４とを備え、温調対象流体Ａが流入するバイパス吸引口５と、メイン流路４の途中部分とを連通するバイパス流路６と、バイパス吸引口５の開度を調節するバイパス弁１５と、温調対象流体Ａを混合して排出口３から排出する送風機１２とを備え、当該混合させる前のメイン流路４の温調対象流体Ａを一定出力で加熱又は冷却する一定出力温調手段９と、該手段９の通過前と通過後との温度差を検出する温度差検出手段１０、１１とを設け、当該温度差が所定の温度差になるようバイパス吸引口５を開度調節するバイパス弁開度調節手段１６とを備えた。【選択図】図１
2009222345.tif 000002
【特許請求の範囲】
【請求項１】
吸引口と排出口とを連通するメイン流路に、前記吸引口から流入した温調対象流体を冷却及び加熱の一方を行う第１温調手段と、前記第１温調手段を通過した温調対象流体を冷却及び加熱の他方を行う第２温調手段とを備え、
前記吸引口とは別のバイパス吸引口と前記メイン流路の途中部分とを連通するバイパス流路と、前記バイパス吸引口の開度を調節するバイパス弁と、少なくとも前記第１温調手段を通過した前記メイン流路の温調対象流体に前記バイパス流路の温調対象流体を混合させて前記排出口から排出させる送風機とを備えた温調装置であって、
前記第１温調手段及び第２温調手段に加えて、
前記バイパス流路の温調対象流体を混合させる前の前記メイン流路の温調対象流体を一定出力で加熱又は冷却する一定出力温調手段と、
前記一定出力温調手段の通過前と通過後との温調対象流体の温度差を検出する温度差検出手段とを設け、
前記温度差検出手段にて検出した温度差が所定の温度差になるように前記バイパス吸引口の開度を調節するバイパス弁開度調節手段とを備えた温調装置。
【請求項２】
前記第２温調手段が冷却及び加熱の他方を行う温調対象流体は、前記バイパス流路の温調対象流体が混合された後の前記メイン流路の温調対象流体である請求項１に記載の温調装置。
【請求項３】
前記第１温調手段は、温調対象流体を冷却するように構成してあり、
前記一定出力温調手段は、温調対象流体を一定出力で加熱するように構成してあり、
前記第２温調手段は、温調対象流体を加熱するように構成してある請求項１又は２に記載の温調装置。
【請求項４】
前記送風機の風量を調節可能に構成してある請求項１〜３の何れか１項に記載の温調装置。
【請求項５】
前記メイン流路の前記送風機の下流側に設けられて、前記排出口から排出させる温調対象流体の風量を調整可能な排出風量調整手段を備えてある請求項１〜３の何れか１項に記載の温調装置。
【発明の詳細な説明】
【技術分野】
【０００１】
本発明は、温調装置に関し、特に、メイン流路とバイパス弁を有するバイパス流路とを備え、バイパス弁によるバイパス吸引口の開度調節を自動制御で行う温調装置に関する。
【背景技術】
【０００２】
従来、温調装置として、例えば、吸引口と排出口とを連通するメイン流路に、吸引口から流入した温調対象流体を冷却する冷却コイル（第１温調手段に相当）と、冷却コイルを通過した温調対象流体を加熱する加熱手段（第２温調手段に相当）と、加熱手段を通過した温調対象流体にバイパス流路の温調対象流体を混合させて排出口から排出させる送風機とを備えたものがある。
【０００３】
この温調装置では、吸引口から流入した温調対象流体を冷却コイルにて冷却用目標温度に冷却し、その冷却された温調対象流体を加熱手段にて目標温度に加熱し、その加熱した温調対象流体を送風機に通流させている。排出口から排出させる温調対象流体の風量を増減させた場合等に冷却コイルを通過する温調対象流体の風量が変化すると、温調対象流体を冷却用目標温度に冷却するために、冷却コイルの出力を大きく変更させる必要がある。よって、第１温調手段に相当する冷却コイルは、出力の変更可能な範囲が大きなものが必要となり、イニシャルコストやランニングコストが増大することになる。また、第１温調手段を冷却コイルとした場合には、冷却コイルを通過する温調対象流体の風量の減少により、冷却コイルが凍結してしまうという問題が生じるおそれもある。
【０００４】
そこで、第１温調手段を通過する温調対象流体の風量を一定とすることが求められており、従来の温調装置では、バイパス弁によりバイパス吸引口の開度を調節して、バイパス流路の温調対象流体の風量を調節することにより、第１温調手段を通過する温調対象流体の風量を一定の風量としている。
ここで、このような温調装置において、バイパス弁によるバイパス吸引口の開度の調節は手動若しくは自動で行うことが知られている。
特に、自動で行う技術として、第１温調手段に相当する冷却コイルの上流側と下流側の差圧等を検出し、当該差圧等に基づいて、冷却コイルを通過する温調対象流体の風量が一定となるようにバイパス弁によりバイパス吸引口の開度を自動的に調節するバイパス弁開度調節手段を備えている（例えば、特許文献１参照）。これにより、手動で行うよりも、作業負担の軽減を図りながら、第１温調手段を通過する温調対象流体の風量を的確に一定にできる。
【０００５】
【特許文献１】特開２００７−２４７９３６号公報
【発明の開示】
【発明が解決しようとする課題】
【０００６】
特許文献１に開示の温調装置では、吸引口から吸引する温調対象流体に含まれる水分量（湿度）が変化することがあるので、第１温調手段に相当する冷却コイルを通過する温調対象流体に含まれる水分量（湿度）も変化することになる。よって、冷却コイルを通過する際の圧力損失が変化することになり、冷却コイルの上流側と下流側の差圧が変化していることがある。その為に、特許文献１に開示の温調装置のように、冷却コイルの上流側と下流側の差圧に基づいてバイパス弁によりバイパス吸引口の開度を調節しても、冷却コイルを通過する温調対象流体の風量が、所望の風量で一定とならない可能性がある。
【０００７】
本発明は上記の課題に鑑みてなされたものであり、その目的は、メイン流路とバイパス弁を有するバイパス流路とを備え、バイパス弁によるバイパス吸引口の開度調節を自動制御で行う温調装置において、第１温調手段を通過する温調対象流体の風量を所望の風量で一定とすることが可能な技術を提供する点にある。
【課題を解決するための手段】
【０００８】
上記目的を達成するための本発明に係る温調装置は、吸引口と排出口とを連通するメイン流路に、前記吸引口から流入した温調対象流体を冷却及び加熱の一方を行う第１温調手段と、前記第１温調手段を通過した温調対象流体を冷却及び加熱の他方を行う第２温調手段とを備え、前記吸引口とは別のバイパス吸引口と前記メイン流路の途中部分とを連通するバイパス流路と、前記バイパス吸引口の開度を調節するバイパス弁と、少なくとも前記第１温調手段を通過した前記メイン流路の温調対象流体に前記バイパス流路の温調対象流体を混合させて前記排出口から排出させる送風機とを備えた温調装置であって、その特徴構成は、
前記第１温調手段及び第２温調手段に加えて、前記バイパス流路の温調対象流体を混合させる前の前記メイン流路の温調対象流体を一定出力で加熱又は冷却する一定出力温調手段と、前記一定出力温調手段の通過前と通過後との温調対象流体の温度差を検出する温度差検出手段とを設け、前記温度差検出手段にて検出した温度差が所定の温度差になるように前記バイパス吸引口の開度を調節するバイパス弁開度調節手段とを備えた点にある。
【０００９】
上記特徴構成によれば、一定出力温調手段が温調対象流体を一定出力で加熱又は冷却するので、一定出力温調手段を通過する温調対象流体の風量が所望の風量で一定であれば、一定出力温調手段の通過前と通過後との温調対象流体の温度差は一定の所定の温度差となる。これにより、バイパス弁開度調節手段が、温度差検出手段にて検出した温度差が所定の温度差になるようにバイパス弁を用いてバイパス吸引口の開度を調節することにより、吸引口から吸引する温調対象流体に含まれる水分量（湿度）の変化にかかわらず、一定出力温調手段を通過する温調対象流体の風量を所望の風量で一定にできる。ここで、一定出力温調手段は、バイパス流路の温調対象流体を混合させる前のメイン流路の温調対象流体を加熱又は冷却しており、さらに、少なくとも第１温調手段を通過した温調対象流体にバイパス流路の温調対象流体を混合させているので、一定出力温調手段を通過する温調対象流体の風量を所望の風量で一定にすると、第１温調手段を通過する温調対象流体の風量が所望の風量で一定となる。なお、排出口から排出される温調対象流体の風量が所定の風量に変化する場合であっても、その変化に良好に対応して、第１温調手段及び一定出力温調手段を通過する温調対象流体の風量を上記のように所望の風量で一定とすることができる。
よって、バイパス弁によるバイパス吸引口の開度調節を自動制御できながら、第１温調手段を通過する温調対象流体の風量を所望の風量で一定とすることが可能な温調装置を実現できる。
【００１０】
本発明に係る温調装置の更なる特徴構成は、前記第２温調手段が冷却及び加熱の他方を行う温調対象流体は、前記バイパス流路の温調対象流体が混合された後の前記メイン流路の温調対象流体である点にある。
【００１１】
本特徴構成によれば、第１温調手段にて温調されたメイン流路の温調対象流体にバイパス流路の温調対象流体が混合されて送風機を通過した温調対象流体を、第２温調手段が冷却又は加熱することになる。これにより、バイパス流路の温調対象流体との混合や送風機自体が発生する熱により温調対象流体の温度が変化しても、第２温調手段により温調対象流体の温度を所望の温度に調節することができる。よって、所望の温度に精度よく調節された温調対象流体を排出口から排出させることができる。
【００１２】
本発明に係る温調装置の更なる特徴構成は、前記第１温調手段は、温調対象流体を冷却するように構成してあり、前記一定出力温調手段は、温調対象流体を一定出力で加熱するように構成してあり、前記第２温調手段は、温調対象流体を加熱するように構成してある点にある。
【００１３】
本特徴構成によれば、第１温調手段により温調対象流体を冷却用目標温度に冷却し、その冷却された温調対象流体を一定出力温調手段にて一定出力で加熱したのち、第２温調手段にて目標温度に加熱することになる。これにより、第１温調手段として、例えば冷媒を通流させることにより温調対象流体を冷却可能な冷却コイルを用い、第２温調手段として、例えば冷却コイルよりも精度よく温度を調節可能な電気ヒータを用いることができる。よって、排出口から排出される温調対象流体を所望の温度に精密に調節することができる。
【００１４】
本発明に係る温調装置の更なる特徴構成は、前記送風機の風量を調節可能に構成してある点にある。
【００１５】
本特徴構成によれば、送風機の風量を調節することにより、排出口から排出する温調対象流体の風量を所望の一定風量に調節することができながら、その一定風量もどのような風量とするかを変更することができる。これにより、例えば、排出口から排出する温調対象流体を温調対象空間に供給することにより、温調対象空間に一定風量で且つ目標温度の温調対象流体を供給することができ、温調対象空間を適正に温調することができる。
【００１６】
本発明に係る温調装置の更なる特徴構成は、前記メイン流路の前記送風機の下流側に設けられて、前記排出口から排出させる温調対象流体の風量を調整可能な排出風量調整手段を備えてある点にある。
【００１７】
本特徴構成によれば、排出風量調整手段が、排出口から排出させる温調対象流体の風量を調整することにより、排出口から排出する温調対象流体の風量を所望の一定風量に調節することができながら、その一定風量もどのような風量とするかを変更することができる。これにより、例えば、排出口から排出する温調対象流体を温調対象空間に供給することにより、温調対象空間に一定風量で且つ目標温度の温調対象流体を供給することができ、温調対象空間を適正に温調することができる。
【発明を実施するための最良の形態】
【００１８】
本願に係る温調装置１００について、図１に基づいて説明する。なお、図１は温調装置１００の概略構成を示す正面視図である。
図１に示す温調装置１００は、外部から吸引した温調対象流体としての空気Ａをそれぞれ通流可能なメイン流路４とバイパス流路６とを筐体１内に備えるとともに、これら流路以外の筐体１内の箇所には、冷却コイル７に冷媒を供給する冷凍機８、バイパス弁１５等を制御するバイパス弁開度調節手段（制御手段１６）等を備えて構成されている。
【００１９】
まず、温調装置１００の構成の概略について説明する。
図１に示すように、メイン流路４には上流側から下流側に、外部からメイン流路４内に吸引される空気Ａが通過する吸引口２、当該吸引口２から流入した空気Ａを冷却する第１温調手段としての冷却コイル７、当該冷却コイル７を通過した空気Ａを一定出力で加熱する一定出力温調手段としての第１電気ヒータ９、当該第１電気ヒータ９により加熱された空気Ａを排出する送風機１２、当該送風機１２から排出された空気Ａを加熱する第２温調手段としての第２電気ヒータ１４、当該第２電気ヒータ１４により加熱された空気Ａを温調対象空間１８に排出する排出口３が記載順に配置されている。さらに、このメイン流路４には、冷却コイル７と第１電気ヒータ９との間（第１電気ヒータ９の上流側）に第１温度センサ１０（温度差検出手段）、第１電気ヒータ９と送風機１２との間（第１電気ヒータ９の下流側）に第２温度センサ１１（温度差検出手段）、第２電気ヒータ１４と排出口３との間（第２電気ヒータ１４の下流側）に第３温度センサ１３が、それぞれ空気Ａの温度を検出可能に配置されている。なお、第１温度センサ１０と第２温度センサ１１との温度情報から、第１電気ヒータ９の通過前と通過後との空気Ａの温度差を検出できる。
【００２０】
バイパス流路６には、外部からバイパス流路６内に吸引される空気Ａが通過するバイパス吸引口５、当該バイパス吸引口５の開度を調節してバイパス流路６内に吸引される空気Ａの風量を調節するバイパス弁１５が記載順に配置され、当該バイパス流路６内を通流する空気Ａが送風機１２により上記メイン流路４を通流する空気Ａと混合されるように、当該バイパス流路６はメイン流路４の途中部分に接続されている。すなわち、バイパス流路６は、バイパス吸引口５及びバイパス弁１５を通過してバイパス流路６内を流通する空気Ａがメイン流路４からの空気Ａと送風機１２において混合された後、第２電気ヒータ１４を通過して排出口３から温調対象空間１８に排出できるように構成されている。
【００２１】
冷却コイル７は、冷却コイル７内を通流する冷媒との熱交換により冷却コイル７を通過する空気Ａを冷却可能に構成されている。例えば、当該冷却コイル７として蒸発器を用いた場合には、冷却コイル７（蒸発器）内の冷媒との熱交換により冷却コイル７を通過する空気Ａを良好に冷却することができる。例えば、冷凍機８（圧縮機）、凝縮器（図示せず）、膨張弁（図示せず）、蒸発器の順に冷媒が循環する構成の冷凍サイクルが備える蒸発器を冷却コイル７として用いることができる。
【００２２】
第１電気ヒータ９、及び第２電気ヒータ１４は、空気Ａを良好に加熱可能な構成であれば公知の電気ヒータを採用することができるが、制御手段１６からの制御を受けて、第１電気ヒータ９は一定の出力で空気Ａを加熱可能に構成され、第２電気ヒータ１４は出力を可変して空気Ａを加熱可能に構成されている。
【００２３】
送風機１２は、メイン流路４の吸引口２及びバイパス流路６のバイパス吸引口５から空気Ａを吸引して、この空気Ａを混合して排出口３から排出させることが可能に構成されており、公知の送風機（例えば、ブロワー）を採用することができる。なお、当該送風機１２は、バイバス流路６を通流する空気Ａがメイン流路４に流入する箇所、例えば、メイン流路４における第２温度センサ１１と第２電気ヒータ１４との間に配置される。
この送風機１２はインバータを備え、このインバータの出力を制御手段１６からの制御を受けて段階的若しくは連続的に変更可能に構成されており、変更後の出力のまま固定して、一定の風量に維持することができるように構成されている。
【００２４】
バイパス弁１５は、バイパス弁開度調節手段からの制御を受けて、バイパス吸引口５の開度を調整可能に構成され、制御手段１６がバイパス弁開度調節手段として機能する。このバイパス弁開度調節手段は、メイン流路４から送風機１２に吸引される空気Ａの風量が所望の風量でかつ一定となるように、バイパス吸引口５から吸引される空気Ａの風量を調整することができる。すなわち、送風機１２により排出口３から排出される空気Ａの風量が上記インバータにより変更された後に一定の風量に維持された場合であっても、パイパス流路６を通流する空気Ａの風量のみを調節して、メイン流路４から送風機１２に吸引される空気Ａの風量を所望の風量でかつ一定に維持できるように構成されている。
【００２５】
第１温度センサ１０、第２温度センサ１１、第３温度センサ１３は、それぞれ設置された箇所に存在する空気Ａの温度を検出することができる温度センサであれば、公知の温度センサを用いることができ、各温度センサ１０、１１、１３により検出された空気Ａの温度情報、および第１電気ヒータ９の通過前と通過後との温調対象流体の温度差の情報は制御手段１６に送信される。
【００２６】
制御手段１６は、ＣＰＵ、入出力部等を備えたマイクロコンピュータで構成され、そのコンピュータが所定のプログラムを実行することにより、上記バイパス弁１５、第１電気ヒータ９、第２電気ヒータ１４、冷却コイル７及び冷凍機８を備えた冷凍サイクル、送風機１２等を適切に制御する。
例えば、制御手段１６は、送風機１２の運転状況に基づいて（例えば、所定の風量の空気Ａを排出口から排出している状態における送風機１２の電流値が所定の電流値となるように）送風機１２のインバータの出力を段階的若しくは連続的に自動で変化させ、排出口３から温調対象空間１８に所望の風量の空気Ａを一定の風量（例えば、２０ｍ3／ｍｉｎ、３０ｍ3／ｍｉｎ、４０ｍ3／ｍｉｎなど）で排出することができるように構成されている。なお、制御手段１６には温調装置１００の運転開始時等に、ユーザが排出口３から温調対象空間１８に排出される空気Ａの所望の風量情報を入力可能に構成されている。
また、制御手段１６は、冷凍サイクルを制御して冷却コイル７（蒸発器）によりメイン流路４を通流する空気Ａを冷却用目標温度にまで冷却させることができ、一定の出力で第１電気ヒータ９を駆動させて当該空気Ａを加熱させることができる。制御手段１６は、送風機１２の下流側に配置された第２電気ヒータ１４により加熱された空気Ａの温度を第３温度センサ１３により検出させることができ、温調対象空間１８に排出される当該空気Ａが目標温度となるように第２電気ヒータ１４の出力を制御することができる。なお、制御手段１６には温調装置１００の運転開始時等に、ユーザが、冷却コイル７が冷却した後の空気Ａの冷却用目標温度の情報や温調対象空間１８に排出される空気Ａの目標温度の情報を入力可能に構成されている。
さらに、制御手段１６は、第１電気ヒータ９の上流側に配置された第１温度センサ１０及び第１電気ヒータ９の下流側に配置された第２温度センサ１１からの温度情報に基づく温度差情報を受け取って、当該温度差が所定の温度差となるようにバイパス弁１５によるバイパス吸引口５の開度調節を制御可能に構成されている。制御手段１６には温調装置１００の運転時等に、ユーザが、上記所定の温度差の情報を入力可能に構成されている。なお、所定の温度差の情報と第１電気ヒータ９の出力及び当該第１電気ヒータ９を通過する風量との関係は記憶手段（図示せず）に複数記憶しておくことができ、温調装置１００の運転に用いることもできる。これにより、後述するとおり、バイパス流路６においてバイパス吸引口５を通過する空気Ａの風量を調整して、メイン流路４において冷却コイル７や第１電気ヒータ９を通過する空気Ａの風量を一定に維持しつつ、排出口３から排出される空気Ａの風量を所望の風量（ユーザが設定した所望の風量）に維持することができる。これら各風量の関係について説明すると、例えば、送風機１２により排出口３から排出される空気Ａの所望の風量を２０ｍ3／ｍｉｎとした場合は、バイパス弁１５を閉じて、バイパス吸引口５の開度を０とするとともに、吸引口２を通過する風量を２０ｍ3／ｍｉｎとする。送風機１２により排出口３から排出される空気Ａの所望の風量を３０ｍ3／ｍｉｎとした場合は、バイパス弁１５を開けて、バイパス吸引口５を通過する空気Ａの風量を１０ｍ3／ｍｉｎとするとともに、吸引口２を通過する風量を２０ｍ3／ｍｉｎに維持する。送風機１２により排出口３から排出される空気Ａの所望の風量を４０ｍ3／ｍｉｎとした場合は、バイパス弁１５をさらに大きく開け、バイパス吸引口５を通過する空気Ａの風量を２０ｍ3／ｍｉｎとするとともに、吸引口２を通過する風量を２０ｍ3／ｍｉｎに維持する。
【００２７】
次に、本願の温調装置１００の動作について説明する。
制御手段１６は、ユーザがリモコン（図示せず）を操作したり、ユーザが筐体１に設けられた操作部（図示せず）を操作することにより温調装置１００の運転を開始し、当該操作により設定された温調対象空間１８へ排出される空気Ａの所望の温度及び所望の風量（例えば、２３℃、３０ｍ3／ｍｉｎ）、第１電気ヒータ９を通過する空気Ａの所定の温度差（例えば、１℃）にしたがって、各手段の制御を行う。
制御手段１６は、上記運転を開始すると上記設定された所望の風量（例えば、３０ｍ3／ｍｉｎ）に対応する送風機１２の電流値を記憶手段から抽出し、当該送風機１２の電流値を検出して、当該電流値が上記記憶手段から抽出した電流値となるように送風機１２のインバータの出力を自動的に制御する。これにより、送風機１２により排出口３から温調対象空間１８に排出される空気Ａの量を所望、かつ一定の風量（例えば、３０ｍ3／ｍｉｎ）に自動的に維持することができる。
【００２８】
次に、送風機１２により排出口３から温調対象空間１８に排出される空気Ａが所望、かつ一定の風量に維持された後、制御手段１６は、冷凍サイクルを制御して冷却コイル７内を流通する冷媒の流量を調整し、吸引口２から吸引されメイン流路４を通流する空気Ａを当該冷媒との熱交換により、所定の冷却用目標温度（例えば、２１℃）にまで冷却する。
【００２９】
そして、制御手段１６は、冷却コイル７の下流側に配置された第１電気ヒータ９の出力を所定の一定値（当該第１電気ヒータ９の能力に応じて適宜選択可能であるが、例えば４００Ｗ））に維持し、冷却コイル７により冷却された空気Ａを加熱する。この第１電気ヒータ９を通過する前（上流側）と通過した後（下流側）の空気Ａの温度は第１温度センサ１０と第２温度センサ１１によりそれぞれ検出され、当該各温度の温度差情報が制御手段１６に送られる。制御手段１６は、検出された温度差が所定の温度差（例えば、１℃）となるように、バイパス流路６に設けられたバイパス弁１５によりバイパス吸引口５の開度を調節する。これにより、バイパス吸引口５を通過する空気Ａの量を調節することにより（例えば、１０ｍ3／ｍｉｎとすることにより）、メイン流路４の第１電気ヒータ９を通過する空気Ａの風量を、所望の風量で、かつ一定（例えば、上記出力を４００Ｗ、所定の温度差を１℃とした場合、当該風量は２０ｍ3／ｍｉｎ）に維持することができる。
【００３０】
次に、メイン流路４及びバイパス流路６を流通する空気Ａは送風機１２により混合された後、制御手段１６により当該送風機１２の下流に設けられた第２電気ヒータ１４の出力が必要に応じて制御され、当該空気Ａが目標温度（例えば、２３℃）となるように加熱されて、排出口３から温調対象空間１８に排出される。そして、制御手段１６は、第２電気ヒータ１４により加熱された空気Ａの温度情報を排出口３に設けられた第３温度センサ１３から受け取り、当該温度が目標温度（ユーザが設定した所望の温度である２３℃）となるように、第２電気ヒータ１４の出力を制御して空気Ａを加熱させる。これにより、温調装置１００の筐体１内から空気Ａを第２電気ヒータ１４により目標温度（たとえば、２３℃）にまで加熱したうえで排出することができ、特に空気Ａが送風機１２の影響により温度上昇したとしても、送風機１２の下流側に配置された第２電気ヒータ１４により目標温度に加熱（温度制御）されるので、確実に空気Ａを目標温度にしてから温調対象空間１８に排出することができる。
【００３１】
よって、バイパス弁１５によりバイパス吸引口５の開度を正確に調節し、メイン流路４を通過する空気Ａの風量を所望の風量でかつ一定の風量に正確に維持することができ、空気Ａの温度を正確に目標温度にできるとともに、さらに、排出口３から排出される空気Ａの風量を所望の、かつ一定の風量に維持することができる。
【００３２】
〔別実施形態〕
（１）上記実施形態では、第１温調手段としての冷却コイル７、一定出力温調手段としての第１電気ヒータ９、第２温調手段としての第２電気ヒータ１４を記載順にメイン流路４に配置する構成としたが、特にこの構成に制限されることなく、これら配置を適切に入れ替えた構成とすることもできる。例えば、一定出力温調手段としての第１電気ヒータ９、第１温調手段としての冷却コイル７、第２温調手段としての第２電気ヒータ１４を記載順に配置することもできる。
【００３３】
（２）上記実施形態では、第１温調手段としての冷却コイル７による冷却、一定出力温調手段としての第１電気ヒータ９による加熱、第２温調手段としての第２電気ヒータ１４による加熱をする構成としたが、特にこの構成に制限されることなく、第１温調手段としての電気ヒータによる加熱、一定出力温調手段による冷却、第２温調手段としての冷却コイルによる冷却を行う構成とすることもできる。
【００３４】
（３）上記実施形態では、一定出力温調手段として第１電気ヒータ９を用いて冷却コイル７（蒸発器）を通過した後の空気Ａを加熱したが、一定の出力で加熱することができる機器であれば、特に制限なく用いることができる。上述の冷凍サイクルにあっては圧縮機の圧縮で冷媒が加熱されており、凝縮器において空気又は冷却水により冷媒の凝縮熱が回収できるため、それら熱を加熱に利用することもできる。例えば、第１電気ヒータ９の代わりに、圧縮機から吐出される冷媒との熱交換を行う熱交換器を当該第１電気ヒータ９が配設されていた位置に配置して、冷却コイル７を通過した空気Ａを加熱する構成とすることもできる。
【００３５】
（４）上記実施形態では、制御手段１６が、送風機１２の運転情報（電流値）に基づいて当該送風機１２のインバータの出力を自動的に調整することとしたが、これに限らず、排出口３から排出される空気Ａの風量を所望の、かつ一定の風量に維持することができる構成であれば特に制限なく用いることができる。例えば、送風機１２の下流側（第２電気ヒータの下流側）に設けられた風速センサの出力を検出し、若しくは定圧ダンパーが備える圧力センサの出力を検出して、これら出力に基づいて送風機１２のインバータの出力を自動的に調整する構成とすることもできる。また、例えば、送風機１２で混合された空気Ａの排出口３から排出される風量を手動で調節可能な風量調整ダンパーや、送風機１２のインバータの出力を手動で変更させることができる操作手段等の排出風量調整手段を採用することもできる。
【産業上の利用可能性】
【００３６】
本願発明は、メイン流路内に水蒸気が存在する場合であってもバイパス弁によりバイパス吸引口の開度を正確に調節し、メイン流路を通過する温調対象流体の風量を所望の風量でかつ一定の風量に正確に維持することができ、さらに、温調対象流体の温度を正確に目標温度にすることができる技術として良好に利用することが可能である。
【図面の簡単な説明】
【００３７】
【図１】本願に係る温調装置１００の概略構成を示す正面視図
【符号の説明】
【００３８】
２          吸引口
３          排出口
４          メイン流路
５          バイパス吸引口
６          バイパス流路
７          冷却コイル（第１温調手段）
９          第１電気ヒータ（一定出力温調手段）
１０        第１温度センサ（温度差検出手段）
１１        第２温度センサ（温度差検出手段）
１２        送風機
１４        第２電気ヒータ（第２温調手段）
１５        バイパス弁
１６        バイパス弁開度調節手段（制御手段）
１００      温調装置
Ａ          空気（温調対象流体）
【図１】
2009222345.tif 000003